(57)【要約】      （修正有）【課題】産業用リモコンのコンパクト化の徹底を図ると共に、環境に考慮したリモコンを提供する。【解決手段】リモコン１は、筐体２と、この筐体２内に配置されているボタン部３と、基板部４と、電源としての電池部５と、操作表示が前記筐体２の窓２０から臨まされているボタンカバー部６を備えている。前記リモコン１は、高さが１５５．５ｍｍ、幅が６３ｍｍ、奥行きが３１ｍｍ、重量が、約２００ｇの産業用リモコンとしては非常にコンパクトなサイズのものとなっている。【選択図】図３
0003141159.tif 000002
【実用新案登録請求の範囲】
【請求項１】
筐体と、この筐体内に収容される基板部と、電池部と、操作表示が前記筐体の窓から臨まされるボタンカバー部からなるリモコンであって、
前記筐体は２分割可能であると共に、前記電池部が分割される一方の筐体内に取付け固定されていることを特徴とするリモコン。
【請求項２】
前記基板部及びボタンカバー部は交換可能であることを特徴とする請求項１に記載のリモコン。
【考案の詳細な説明】
【技術分野】
【０００１】
本考案は、工場内の構内クレーン等の近くに配置され、かつ、クレーン等の動作をコントロールする受信機に指令信号を送信する産業用リモコンに関する。
【背景技術】
【０００２】
工場内の荷役設備としての構内クレーンは、建屋側レールとこのレール間に掛け渡された桁（ガーター）と、この桁に取付けられた巻上機（以下、ホイストともいう）を備えている。前記巻上機は、重量物の吊上げと吊下げを行うと共に、桁に沿って移動し、例えば東西方向に横行する。また前記桁は、その両端が建屋側レールに沿って移動して、例えば南北方向に走行する。これら構内クレーンの動作の制御は、従来、有線式のペンダントスイッチにより行われているが、近時、非特許文献１に記載されている無線遠隔制御装置としての産業用リモコンが使われている。
この産業用リモコンのうち、ハンディタイプのものは、非特許文献１によると重量が約３６０ｇ（電池、プロテクタ含む）、外形寸法が約７６ｍｍ×２０４ｍｍ×４３ｍｍ（プロテクタ含む）とされている。
【非特許文献１】株式会社エニー  「製品」のペイジ  〔ｏｎ  ｌｉｎｅ〕２００７年１２月１６日更新  〔平成２０年１月２６日検索〕  インターネット＜ＵＲＬ  ：ｈｔｔｐ：／／ｗｗｗ．ｊ−ａｎｙ．Ｃｏ．ｊｐ／＞
【考案の開示】
【考案が解決しようとする課題】
【０００３】
考案者は、産業用リモコンのさらなるコンパクト化を図ると共に、環境に考慮したリモコンの開発及び提供を企図したものである。
【課題を解決するための手段】
【０００４】
本考案は、筐体と、この筐体内に収容される基板部と、電池部と、操作表示が前記筐体の窓から臨まされるボタンカバー部からなるリモコンであって、前記筐体は２分割可能であると共に、前記電池部が分割される一方の筐体内に取付け固定されていることを特徴とするリモコンとした（請求項１の考案）。
【０００５】
上記考案において、前記基板部及びボタンカバー部は交換可能であることを特徴とするリモコンとした（請求項２の考案）。
【考案の効果】
【０００６】
本リモコンは、電池部を内蔵型とすることにより非常にコンパクトな構成にすることができる。またクレーン等の動作を制御するボタン部の操作態様も、一速用、二段速用等の態様毎に別のリモコンを用意する必要がなく、基板部の交換、この交換に伴うボタンカバー部の交換、また表示変更等に対処でき、筐体の有効利用を図ることができる。  
【考案を実施するための最良の形態】
【０００７】
以下に、本考案に係るリモコンを図面に基づき説明する。
図１は、同リモコンの斜視図、図２は中央縦断面図、図３は同分解斜視図である。
【０００８】
図１〜図３に示したように、本考案に係るリモコン１は、筐体２と、この筐体２内に配置されているボタン部３を備えた基板部４と、電池部５と、操作表示６０が前記筐体２の窓２０から臨むボタンカバー部６を備えている。
【０００９】
前記リモコン１は、高さが１５５．５ｍｍ、幅が６３ｍｍ、奥行きが３１ｍｍ、重量が約２００ｇであって、産業用リモコンとしては非常にコンパクトなサイズのものとなっている。
【００１０】
前記筐体２は、下筐体２１と上筐体２２に２分割可能であって、両筐体２１、２２は、パッキン８を挟んでネジ止めされている。
下筐体２１には、電池固定片５０を介して電池部５としてのリチウムイオン電池が固定されている。
よって、この電池の交換は、両筐体２１、２２のネジ止めを解除して、下筐体２１と上筐体２２に２分割し、電池固定片５０を取外して行う。
即ち、下筐体２１には電池を取入れする電池ブタは設けられていない。  
上筐体２２には、ボタンカバー部６の操作表示６０が臨む１０個の窓２０が開口され、また表示窓部７も形成されている。
【００１１】
前記ボタン部３は、クレーン等の動作を制御する操作の入力部となるもので、電源オンボタン３０、電源オフボタン３１、受信機（図示せず）を介して巻上機（図示せず）に対する吊上げ（上昇）と吊下げ（下降）を指令する上下ボタン３２、３３、このホイストの横行を指令する東西ボタン３４、３５、桁の走行を指令する南北ボタン３６、３７、その他の目的で使用されるボタン３８、３９が設けられている。
上記指令ボタン３２〜３９の内、上下ボタン３２、３３はホイストに対する吊上げと吊上げの速度を「低速」と「高速」に選択することができる２段押のものとなっており、他の指令ボタンは１段押しのものとなっている。
どの指令ボタンを２段押のものとするか、１段押のものとするかは、使用者の要求に応じて、基板部４と一体となっているボタン部３を交換することにより対応できるようになっている。
【００１２】
このリモコン１は、特定小電力機器であり、総務省電波法の工事設計認証により、連続送信可能な電波として割り当てられた使用周波数のチャネルのうち、１波により通信を行うもので、受信機への送信のみを行い、受信機はリモコン１に対する送信を行わない（単方向）。
このような送信を制御する基板部４（各部の図示は省略）は、アンテナと、アンテナとの間で信号の送受信を行う通信部と、この通信部を介して前記アンテナが受信した電波を入力してキャリアセンスを行い、また前記ボタン部３からの操作信号を入力して、指令信号を生成し前記通信部に出力すると共に、表示信号を生成し前記表示窓部７に点灯表示させる表示部に出力する制御部と、この制御部が実行する制御プログラムを記憶する記憶部を備えている。
前記記憶部は、例えば不揮発性メモリ（ＥＥＰＲＯＭ）により、表示部はＬＥＤ等により、制御部はＣＰＵ等によって構成されている。
【００１３】
前記ボタンカバー部６は、その操作表示６０が前記ボタン部３に対応する操作内容を表示するもので、電源オンボタン３０に対応する「入／警」表示６１、前記電源オフボタン３１に対応する「切」表示６２、上下ボタン３２、３３に対応する「上」と「下」表示６３，６４、東西ボタン３４、３５に対応する「東」と「西」表示６５、６６、南北ボタン３６、３７に対応する「南」と「北」表示６７、６８、その他の表示が設けられている。
なお、「入／警」表示６１を長押することで警報が出力されるようになっている。
この実施形態では、前記上下ボタン３２、３３が２段押となっているため、ボタンカバー部６の「上」と「下」表示６３，６４が他の操作表示とは異なる表示色となっている。
かかるボタンカバー部６は、前記基板部４の交換に対応させてボタンカバー部６自体を自在に交換したり、操作表示６０の表示色を変更できるようにしてある。
また、前記ボタンカバー部６は、基板部４の上部全体を押えるように覆われており、基板全体に対する防塵機能も発揮できるようになっている。
【００１４】
なお、表示窓部７は、電源オン表示、指令信号発信表示を行う送信中表示７１と、電池の充電状態を表示する電池表示７２を備えている。
【００１５】
電池部５は、上記基板部４の各部に電力を供給するもので、リチウムイオン電池が用いられる。
このリチウムイオン電池により、リモコンの自重を軽減させているが、これに限定されるものではなく、充電可能な電池であればよい。
なお、充電用の端子２３は上筐体２２から外部に臨んでいる。
【００１６】
上記のように構成されたリモコン１の作用及び効果を説明する。
ａ．このリモコン１は、通常、保護カバーに入れて、首下げバンドを用い、操作者の首からぶら下げて使用されるが、非常にコンパクトであることから、操作者の負担にならない。
ｂ．万が一、バンドを使用せず保護カバーに入れただけで使用していて、本体を落下させても、非常に軽量であるために、内部の基板部４および筐体２に対するダメージが少ない。
ｃ．電池部５が内蔵型であるので、筐体２に電池ブタを設ける必要がなく、また電池ブタの破損やその取付ネジの「ガタ」や「紛失」という問題も解決される。
ｄ．ボタン部３の操作態様も、別のリモコンを用意することなく、基板部４の交換、ボタンカバー部６の交換、操作表示変更に対処でき、筐体の有効利用を図ることができる。  
【図面の簡単な説明】
【００１７】
【図１】リモコンの斜視図、
【図２】同縦中央断面図、
【図３】同分解斜視図である。
【符号の説明】
【００１８】
１  リモコン                            ２  筐体
３  ボタン部                            ４  基板部
５  電池部                              ６  ボタンカバー部
７  表示窓部                            ８  パッキン
２０  窓                                ２１  下筐体
２２  上筐体                            ２３  充電用の端子
３０  電源オンボタン                    ３１  電源オフボタン
３２、３３  上下ボタン                  ３４、３５  東西ボタン
３６、３７  南北ボタン                  ３８、３９  その他のボタン
５０  電池固定片
６０  操作表示                          ６１  「入／警」表示
６２  「切」表示                        ６３、６４  「上」と「下」表示
６５、６６  「東」と「西」表示
６７、６８  「南」と「北」表示
７１  送信中表示                        ７２  電池表示
【図１】
0003141159.tif 000003
【図２】
0003141159.tif 000004
【図３】
0003141159.tif 000005